(57)【要約】    【課題】  最後尾のレンズ群が光軸方向に可動なレンズ（例えばビデオで一般的な４群ズームなど）を交換レンズに用いる際に、撮影者により、最後尾のレンズ群に不必要な静圧が加わらないレンズ鏡筒を得ること。    【解決手段】  カメラ本体に対して取り外し可能なレンズ鏡筒であって、固定筒と、前記固定筒内に収納された最後部のレンズ群と、ステップモーターと前記ステップモーターの出力軸に設けられた第１のネジ部と前記最後部のレンズ群を保持する枠に設けられ前記第１のネジ部に噛み合う第２のネジ部を用いて、前記最後部のレンズ群を光軸方向に駆動する駆動手段と、前記最後部のレンズ群より前記カメラ本体側に配置され、前記固定筒に固定された透明板とを備えること。【選択図】    図１
2005070800.tif 000002
【特許請求の範囲】
【請求項１】
カメラ本体に対して取り外し可能なレンズ鏡筒であって、固定筒と、前記固定筒内に収納された最後部のレンズ群と、ステップモーターと前記ステップモーターの出力軸に設けられた第１のネジ部と前記最後部のレンズ群を保持する枠に設けられ前記第１のネジ部に噛み合う第２のネジ部を用いて、前記最後部のレンズ群を光軸方向に駆動する駆動手段と、前記最後部のレンズ群より前記カメラ本体側に配置され、前記固定筒に固定された透明板とを備えることを特徴とするレンズ鏡筒。
【請求項２】
カメラ本体に対して取り外し可能なレンズ鏡筒であって、固定筒と、前記固定筒内に収納された最後部のレンズ群と、前記最後部のレンズ群を光軸方向に駆動する駆動手段と、前記最後部のレンズ群より前記カメラ本体側に配置され、前記固定筒に固定された透明板とを備え、前記透明板はローパスフィルターでないことを特徴とするレンズ鏡筒。
【請求項３】
前記カメラ本体に取り付けられた際に前記カメラ本体からの信号を受け取るための電気接点をさらに備え、前記駆動手段は前記電気接点を介して前記カメラ本体から受け取った信号に基づいて前記最後部のレンズ群を駆動してフォーカス調整を行なうことを特徴とする請求項１または２に記載のレンズ鏡筒。
【請求項４】
前記固定筒内に収納され、前記最後部のレンズ群より被写体側に配置されたバリエーターレンズ群と、前記バリエーターレンズ群を光軸方向に駆動して変倍を行なう第２の駆動手段とをさらに備え、前記駆動手段は変倍に伴って前記最後部のレンズ群を駆動してフォーカス調整を行なうことを特徴とする請求項１〜３のいずれか１項に記載のレンズ鏡筒。
【請求項５】
前記透明板はＮＤフィルターであることを特徴とする請求項１〜４のいずれか１項に記載のレンズ鏡筒。
【請求項６】
前記固定筒内に収納された光軸と平行なポールをさらに備え、前記ポールは前記最後部のレンズ群の移動を案内することを特徴とする請求項１〜５のいずれか１項に記載のレンズ鏡筒。
【請求項７】
前記カメラ本体は、色分解プリズムと３つのＣＣＤを有するビデオカメラであることを特徴とする請求項１〜６のいずれか１項に記載のレンズ鏡筒。
【請求項８】
請求項１〜７のいずれか１項に記載のレンズ鏡筒を用いたことを特徴とする光学機器。
【発明の詳細な説明】
【技術分野】
【０００１】
本発明はビデオカメラ、スチルカメラ、監視カメラ等の光学機器に対して取り外し交換が可能なレンズ鏡筒およびそのレンズ鏡筒を用いた光学機器に関するものである。
【背景技術】
【０００２】
従来、この種の光学機器に用いるズームレンズとしては、近年、それまで主流であった最前部のレンズ群をフォーカスレンズとする所謂前玉フォーカスレンズに代わり、バリエーターレンズより後方のレンズ群を使ってフォーカシングを行う所謂インナーフォーカス又はリアフォーカスが一般的になっている。このインナーフォーカスレンズの採用により、前玉フォーカスレンズよりも至近距離の撮影が可能となり、特にワイド側ではレンズ直前から無限距離まで、連続して合焦するように構成することも容易である。
【０００３】
インナーフォーカスレンズのレンズタイプは種々知られているが、図７は４群構成からなり、最も後方のレンズ群をフォーカシングに用いる様な構成を示す。図７において、１１１は固定の前玉レンズ群、１１２はバリエーターレンズ群、１１３は固定のレンズ群、１１４はフォーカシング（コンペンセーター）のレンズ群である。
【０００４】
１３３は回り止め用の案内棒、１３４はバリエーターレンズ群１１２の送り棒、１３５は固定鏡筒、１３６は絞りユニット（ここでは紙面と直角に挿入されている）、１３７はフォーカスモーターであるところのステップモーター、１３８はステップモーター１３７の出力軸であり、フォーカシングのレンズ群１１４を移動する為のオネジ１３８ａの加工が施されている。１３９はこのオネジ１３８ａと噛み合うメネジ形成部分で、レンズ１１４の移動枠１４０と一体となっている。
【０００５】
１４１、１４２はレンズ１１４の案内棒、１４３は案内棒１４１、１４２を位置決めして押さえる為の後ろ板、１４４はリレーホルダー、１４５はズームモーター、１４６はズームモーター１４５の減速機ユニット、１４７、１４８は連動ギアであり、この連動ギア１４８はズームの送り棒１３４に固定されている。
【０００６】
次に動作について説明する。ステップモーター１３７が駆動すると、フォーカスレンズ１１４はネジ送りによって光軸方向に移動する。又、ズームモーター１４５が駆動すると、連動ギア１４７、１４８を介してねじ軸１３４が回転し、このねじ軸１３４と螺合するレンズ枠１１２ａに保持されたバリエーター２が光軸方向に移動する。
【０００７】
図８は上記構成のレンズ鏡筒におけるバリエーターレンズとフォーカスレンズの位置関係をいくつかの被写体距離に応じて示したもので、ここでは例として、無限、２ｍ、１ｍ、８０ｃｍ、０ｃｍの各被写体に対しての合焦位置関係を示した。このように、インナーフォーカスの場合、被写体距離によって、バリエーターレンズとフォーカスレンズの位置関係が異なってくる為に、前玉フォーカスレンズのカム環の様にメカ構造でレンズ群を連動させることはできない。従って、図７の様な構造のレンズ鏡筒では、単純にズームモーター１４５を駆動しただけではピンボケが発生してしまう。
【０００８】
そこで、図８に示した様なレンズ位置関係を被写体距離に応じながら最適に制御することが必須となっている。その制御の一例として、本出願人は被写体距離に応じたバリエーレンズとフォーカスレンズの位置関係の軌跡トレースの方法を提案している（特許文献１，２）。
【０００９】
図９はその軌跡トレースの方法を実施するブロック構成図を示すもので、１１１〜１１４は図７に示すものと同一のレンズ群である。バリエーターレンズ群１１２の位置はズームエンコーダー１４９によって位置検出される。ここで、エンコーダーの種類として、例えばバリエーター移動環に一体的に取り付けられたブラシを、抵抗パターンが印刷された基板上を摺動するように構成されたボリュームエンコーダーが考えられる。
【００１０】
１５０は絞り値を検出する絞りエンコーダーであり、例えば絞りメーターの中に設けられたホール素子出力を用いる。１５１はＣＣＤ等の撮影素子、１５２はカメラ処理回路であり、Ｙ信号はＡＦ回路１５３に取り込まれる。このＡＦ回路１５３では合焦、非合焦の判別を行い、非合焦の場合は、それがマエピンかアトピンか、又、非合焦の程度はどれくらいかなどが判定され。これらの結果はＣＰＵ１５４に取り込まれる。
【００１１】
１５５はパワーオンリセット回路であり、電源ＯＮ時の各種リセット動作を行う。１５６はズーム操作回路であり、操作者によってズームスイッチ１５７が操作された際、その内容をＣＰＵ１５４に伝える。１５８〜１６０は図１４に示した軌跡データのメモリー部分であり、方向データ１５８、速度データ１５９、境界データ１６０からなる。
【００１２】
１６１はズームモータードライバー、１６２はステップモータードライバーであり、このステップモータードライバー１６２からステップモーター１３７に供給される入力パルス数は連続してＣＰＵ１５４でカウントし、このカウント数をフォーカスレンズの絶対位置のエンコーダーとして用いている。
【００１３】
このように構成したことにより、バリエーターレンズ位置とフォーカスレンズ位置は、それぞれズームエンコーダー１４９とステップモーター入力パルス数によって求まるので、図８に示したマップ上の一点が決定される。
【００１４】
一方、図８に示したマップは境界データ１６０によって、図１０に示した様にタンザク状の小領域Ｉ、ＩＩ、ＩＩＩ、・・・に分割されている。ここで斜線部分はレンズが配置されることを禁止した領域である。この様にマップ上の一点が決まると、小領域のどこにその一点が属しているかの領域の確定を行なうことが出来る。
【００１５】
速度データ、方向データはこのそれぞれの領域の中心を通る軌跡より求めたステップモーター１３７の回転速度方向がそれぞれの領域ごとにメモリーされている。例えば図１０の例では、横軸（バリエーターレンズ位置）は１０のゾーンに分割されている。今、テレ端からワイド端までを１０秒で動かすよう、ズームモーター１４５の速度設定がされているとすると、ズーム方向の一つのゾーンの通過時間は１秒である。
【００１６】
図１０のブロックＩＩＩを拡大した図を図１１とすると、このブロックの中央には軌跡１６４、左下には軌跡１６５、右上は軌跡１６６が通っていて、それぞれ傾きがやや異なっている。ここで中央の軌跡１６４はｘｍｍ／１ｓｅｃの速度で動けば、ほぼ誤差なく軌跡の上をたどることができる。
【００１７】
このようにして求めた速度を、領域代表速度と称すると、速度メモリーには小領域の数だけ、領域に応じてこの値がメモリーされている。又、この速度を矢印１６８として示すと、自動焦点調節装置の検出結果によって矢印１６７、１６９という様に、代表速度を微調整してステップモーター速度を設定するものである。又、方向データーは、同じテレからワイド（ワイドからテレ）のズームでも領域に応じてステップモーター１３７の回転方向が変わってくるので、この符号データがメモリーされるものである。
【００１８】
以上のように、バリエーターレンズ位置とフォーカスレンズ位置より求めた領域代表速度に対して、更に自動焦点調節装置の検出結果によって上記領域代表速度を補正して求めたステップモーター速度を用いて、ズームモーター駆動中にステップモーター１３７を駆動してフォーカスレンズ位置を制御すれば、インナーフォーカスレンズであっても、ズーム中もフォーカスの維持が可能となる。
【００１９】
ここで、図１１の矢印１６８の代表速度以外に各ブロックごとに矢印１６７、１６９の様な速度もメモリーして自動焦点調節装置の検出結果に応じて３つの速度を選択していく方法も提示されている。
【００２０】
以上述べたような速度をメモリーする以外に、現在のバリエーターレンズ位置と、ステップモーター位置から、それによって決まるマップ上の一点を通る軌跡を算出し、その上をたどる方法や、複数の軌跡をいくつかのバリエーターレンズ位置に応じたフォーカスレンズ位置としてメモリーしておく方法などが用いられる。
【００２１】
特許文献２では、複数の被写体距離に対して、ワイド端からテレ端の間の複数バリエーター位置に対するフォーカスレンズの位置を記憶しておき、ズーム開始時にはその時点のバリエーター位置とフォーカスレンズ位置がマップ内のどこにあるかを知り、その点より、同じ焦点距離でマエピン側に、最も近い記憶されたデータと、アトピン側に最も近い記憶されたデータから内挿演算し、それぞれの焦点距離（バリエーターレンズ位置）でのフォーカスレンズ位置を算出する方法が示されている。
【００２２】
図１２はズームテレ端近傍の軌跡を示している。特許文献２では記憶されているデータとして、１で示した軌跡（例えば∞合焦軌跡）のバリエーターレンズ位置Ｖｎ(テレ端）、Ｖｎ−１、Ｖｎ−２、Ｖｎ−３の位置に対しては、フォーカスレンズ位置として、ｒｒ１、ｒｒ４、ｒｒ７、ｒｒ９の情報が記憶されている。すなわちマップ内の点Ｐ１、Ｐ４、Ｐ７、Ｐ１０を通る軌跡が∞軌跡として記憶されていることになる。
【００２３】
同様にＶｎ（テレ端）、Ｖｎ−１、Ｖｎ−２、Ｖｎ−３の位置に対して、フォーカスレンズ位置として、ｒｒ２、ｒｒ５、ｒｒ８、ｒｒ１１の情報がＩＩで示した軌跡（例えば１０ｍ合焦軌跡）として記憶されている。勿論、実際にはテレ端からワイド端までの全ズーム領域に渡ってこのデータが作られている。
【００２４】
ここで（Ｖｎ，ｒｒ）、即ちマップ内の点Ｐからズームする場合、この点から同じバリエーター位置でマエピン側の最も近い記憶されたデータ、即ち軌跡ＩＩのデータと、同じくアトピン側に最も近いデータ、即ち軌跡Ｉのデータを元に、点ＰＡ、ＰＢ、ＰＣを内挿演算によって求める。ズーム中のそれぞれの焦点距離Ｖ０（ワイド端）、Ｖ１Ｖ２・・・・Ｖｎ−１ Ｖｎ（テレ端）に対するフォーカスレンズ位置をそれぞれこのように求めることによってズーム中の軌跡が決定するものである。
【００２５】
ここで内挿演算であるので、点Ｐ１と点Ｐ間の距離と点Ｐ２と点Ｐ間の距離の比は、例えば点ＰＡと点Ｐ４間の距離と点ＰＡとＰ５間の距離の比と等しくなる。
【００２６】
このような速度に関するメモリーもしくは位置に関するメモリーは、当然製造誤差を０とした時の光学設計値に基づいて作られている。
【００２７】
尚、以降述べる本発明の実施例は、この例のように凸凹凸凸の４群構成のインナーフォーカスレンズであり、その２枚目がバリエーターレンズ、４枚目がフォーカスレンズとする構成例の他、他の構成例（例えば特許文献３中の第５図、第７図、第８図の構成）でも適応できるものである。
【００２８】
また、図示例ではズーム用のアクチュエーターとしてギアヘッド付きのＤＣモーターを用いているが、フォーカスレンズと同様にステップモーターを用いてもよい。また、バリエーターエンコーダーとしてボリュームを用いないで、フォーカス同様にリセット位置基準の入力パルス数をカウントすることにより、レンズ群の絶対位置を知る方法を採用してもよい。
【００２９】
又このようなフォーカスモーター使用時の基準位置はフォトインタラプラを用いる方法、あるいは、それぞれの可動レンズ群のアクチュエーターとしてボイス・コイル型のものを用いるものや、超音波モーターを用いる方法なども知られている。
【特許文献１】特開平１−２８０７０９号公報
【特許文献２】特開平１−３２１４１６号公報
【特許文献３】特開平３−２７０１１号公報
【発明の開示】
【発明が解決しようとする課題】
【００３０】
従来のレンズ鏡筒は以上のように構成されているので、このレンズをカメラ本体に対して交換可能な所謂、交換レンズとする場合、取り外したレンズの最後部の可動レンズ群に（例えばレンズ清掃の際なども含めて）容易に触れる、あるいは、取り扱いによっては静圧加重が加わる場合などが考えられる。
【００３１】
この様な状態では、例えば前述したステップモーターを用いて最後部のレンズ群を可動する様な構成では、ネジ送り部分の連動機構部分が破損したり、連動の噛みあい状態が不適切になったり、あるいは最後部のレンズ群を保持している機構の静圧加重に伴う変形によって、このレンズ群が正常な光軸上の位置からずれたり傾いたりすることにより、正常な結像性能が維持出来ない。あるいはレンズ鏡筒内に不用意にゴミ、水滴などが侵入し、各機構の破損を起こすおそれがあるなどの課題があった。
【００３２】
本発明は最後尾のレンズ群が光軸方向に可動なレンズを交換レンズに用いる際に、撮影者により、最後尾のレンズ群に不必要な静圧が加わらない様にし、各機構の破損を防止することができるレンズ鏡筒及びそれを有する光学機器の提供を目的とする。
【課題を解決するための手段】
【００３３】
請求項１の発明のレンズ鏡筒は、カメラ本体に対して取り外し可能なレンズ鏡筒であって、固定筒と、前記固定筒内に収納された最後部のレンズ群と、ステップモーターと前記ステップモーターの出力軸に設けられた第１のネジ部と前記最後部のレンズ群を保持する枠に設けられ前記第１のネジ部に噛み合う第２のネジ部を用いて、前記最後部のレンズ群を光軸方向に駆動する駆動手段と、前記最後部のレンズ群より前記カメラ本体側に配置され、前記固定筒に固定された透明板とを備えることを特徴としている。
【００３４】
請求項２の発明のレンズ鏡筒は、カメラ本体に対して取り外し可能なレンズ鏡筒であって、固定筒と、前記固定筒内に収納された最後部のレンズ群と、前記最後部のレンズ群を光軸方向に駆動する駆動手段と、前記最後部のレンズ群より前記カメラ本体側に配置され、前記固定筒に固定された透明板とを備え、前記透明板はローパスフィルターでないことを特徴としている。
【００３５】
請求項３の発明は、請求項１又は２の発明において、前記カメラ本体に取り付けられた際に前記カメラ本体からの信号を受け取るための電気接点をさらに備え、前記駆動手段は前記電気接点を介して前記カメラ本体から受け取った信号に基づいて前記最後部のレンズ群を駆動してフォーカス調整を行なうことを特徴としている。
【００３６】
請求項４の発明は請求項１から３のいずれか１項の発明において、前記固定筒内に収納され、前記最後部のレンズ群より被写体側に配置されたバリエーターレンズ群と、前記バリエーターレンズ群を光軸方向に駆動して変倍を行なう第２の駆動手段とをさらに備え、前記駆動手段は変倍に伴って前記最後部のレンズ群を駆動してフォーカス調整を行なうことを特徴としている。
【００３７】
請求項５の発明は請求項１から４のいずれか１項の発明において、前記透明板はＮＤフィルターであることを特徴としている。
【００３８】
請求項６の発明は請求項１から５のいずれか１項の発明において、前記固定筒内に収納された光軸と平行なポールをさらに備え、前記ポールは前記最後部のレンズ群の移動を案内することを特徴としている。
【００３９】
請求項７の発明は請求項１から６のいずれか１項の発明において、前記カメラ本体は、色分解プリズムと３つのＣＣＤを有するビデオカメラであることを特徴としている。
【００４０】
請求項８の発明の光学機器は、請求項１〜７のいずれか１項に記載のレンズ鏡筒を用いたことを特徴としている。
【発明の効果】
【００４１】
本発明によれば、カメラ本体に対して交換可能なレンズ鏡筒の最後尾のレンズ群の更にカメラ本体側に透明板を配置して構成したので、レンズ鏡筒をカメラ本体から取り外した際に最後部の可動レンズ群がむき出しにならず、レンズに他物が触れたり、静圧加重が加わることもない。従って、レンズあるいはレンズ駆動機構を破損したり、レンズ鏡筒内にゴミ、水滴の侵入も防止できる効果がある。
【発明を実施するための最良の形態】
【００４２】
【実施例１】
【００４３】
図１は本発明のレンズ鏡筒を光学機器としてのカメラ側に装着した状態を示す断面図、図２は装着前のレンズ鏡筒の端面図である。カメラ側は、３ケのプリズムを有し、例えばＲＧＢの３色に色分解して画像を得る所謂３ＣＣＤビデオカメラを想定しているが、他のカメラであってもよい。
【００４４】
カメラ側は、色分解プリズム３０２、この色分解プリズム３０２を保持すると共にマウント部品が取り付くベース部材３０１、交換レンズの為のマウント部材３０６（ここではバヨネットマウントを想定した。但し他の締め付けマウント等でも構わない）ＣＣＤ３０３〜３０５を備えている。又オートフォーカス機能、オートアイリス機能の実行のために各種の通信を、カメラ側のマイクロコンピューターとレンズ側のマイクロコンピューターの間で行なう電気接点３０７を有している。
【００４５】
一方レンズ側には最後部の可動レンズ群として、レンズ３１１〜３１４の４枚のレンズ群がある。このレンズ群は光軸方向に可動に構成されているもので、移動筒３１５に一体的に固定されている。この移動筒３１５は一体的にスリーブ部分３１６を有し、例えば金属性のポール部品４００との間で位置決めされながら光軸方向に移動可動となっている。又アクチュエーターはここでは図示されていないが、前述従来例で説明した様な各種のアクチュエーターにより、このレンズ群を光軸方向に可動するものである。
【００４６】
この可動レンズ群３１１〜３１４は不図示の固定筒内に構成されるが、固定筒の後端にはバヨネットマウントを構成するレンズ側のマウント部品３０８が設けられ、カメラ側のマウント部品３０６との間でレンズ交換可能に、又装着時には位置が正しく決めるように構成されている。
【００４７】
３１８はレンズ側とカメラ側との装着時に、両者間の通信のためにカメラ側の接点３０７とに接触するレンズ側の接点である。
【００４８】
本実施例の特徴としては、レンズ側マウント部品３０８に対して一体的に、透明板としての平板ガラス３１０を有したガラスホルダー３０９が、爪部分３１７をもって後方より固定されている点にあり、この構成によりカメラ側よりレンズ側を取外したとき図２に示ように、平板ガラス３１０は操作者により触れることが可能だが、これにより、可動レンズ群に触れることがなくなり、前述の課題を回避することができる。
【実施例２】
【００４９】
図３は実施例２を示すもので、ガラスホルダー３０９を爪部で引っ掛ける図１に示す実施例１の構造をとるのではなく、ガラスホルダー３０９をマウント部品３０８を介して固定リング３１９にビス３２０を用いて締め付け固定している。
【００５０】
なお、実施例１ではマウント部品３０８の後端に凸部３０８ａを設け、この位置をガラスホルダーの後端面３３１より後方まで突出させたことにより、カメラ側から取外したレンズ鏡筒をマウント部品を下にして立てて置いた時などにおいて、ガラスホルダーに加重が加わることを極力避ける構成としたが、実施例２ではビスにより固定するので、図１の爪方式よりは強度の確保が期待できることから、この固定リング３１９をレンズ鏡筒を立てたときなどの受面とすることができる。従って、固定リング３１９は例えば金属を用いるなどして強度アップを計ることが必要である。
【実施例３】
【００５１】
図４は本発明の実施例３を示す交換可能なレンズシステムの一例を示すブロック図である。ここでは前述と同様にビデオカメラで多用されている被写体側から順に凸凹凸凸の順の４群構成からなるズームレンズでの実施例を説明するが、これ以外のレンズ構成であってもよい。
【００５２】
被写体からの光は固定されている第１のレンズ群１１１、変倍を行なう第２のレンズ群であるバリエーターレンズ群１１２、絞り１３６、固定されている第３のレンズ１１３、ピント調整機能と変倍に伴うピント面の移動を補正するコンペ機構とを兼ね備えた第４のレンズ群であるフォーカスレンズ群１１４を通って３原色中の赤の成分はＣＣＤ等の撮像素子３０３〜３０５の上にそれぞれ結像される。
【００５３】
各撮像素子上のそれぞれの像は光電変換され、増幅器４０５、４０６、４０７でそれぞれ最適なレベルに増幅された後、カメラ信号処理回路１５２へ入力され、標準テレビ信号に変換されると同時に自動焦点摺接や自動露光調節の情報として、本体マイコン４０９によってデータとして読み出される。
【００５４】
本体マイコン４０９が読み出したこれらの情報は、カメラ側のズームスイッチ等の各操作スイッチの情報（図示せず）と合わせて、カメラ側接点３０７、レンズ側接点３１８を通り、レンズマイコン４１０へ転送される。レンズマイコン４１０は本体マイコン４０９から送られた自動焦点調節の為の各種情報に基づいてモーター制御プログラム制御プログラムを実行し、モータードライバ１６２でモーター１３７を駆動して、フォーカスレンズ群１１４を光軸方向に移動させてピント合わせを行う。
【００５５】
又、レンズマイコン４１０は、本体マイコン４０９より送られたズームスイッチの状態の情報によっても動作が必要な場合には、レンズマイコン４１０内に納められた、前述の被写体距離に応じたピントを維持する為のバリエーターレンズ群１１２とフォーカスレンズ群１１４の位置データを元に、ズーム中ピント面を維持する動作をする様、ズームモータードライバ１６１とフォーカスモータードライバ１６２に信号を与える。
【００５６】
ズームモータードライバ１６１とフォーカスモータードライバー１６２は、レンズマイコン４１０からの信号に基づき、それぞれズームモータ１４５とフォーカスモーター１３７を駆動し、バリエーターレンズ群１１２、フォーカスレンズ群１１４を光軸方向に移動させて、ピント位置が動くことなくズーム動作を行う。
【００５７】
更にレンズマイコン４１０は、本体マイコン４０９より送られた露光調整に関する各情報と絞り状態検出の為のエンコーダー１６３からの情報により適正露出を与える為の信号をアイリスドライバ４１４に与える。アイリスドライバ４１４はレンズマイコン４１０からの信号に基づき絞りアクチュエーター４１３を駆動し、絞り１３６を適正な露出を与える状態に絞る。
【００５８】
この様にカメラ側の本体マイコン４０９とレンズマイコン４１０の二つのマイコンと、この二つのマイコンの通信路に着脱可能にカメラ側とレンズ側の両方に接点３０７と３１８を設けることにより、カメラ本体４１９に対してレンズユニット４１８を着脱可能にすると同時に、レンズとカメラが一体となった一般的なビデオカメラと同様な自動焦点調節、自動露光調節、ズーム動作をなんら問題なく行うことができる。
【実施例４】
【００５９】
図５は実施例４を示すレンズ鏡筒に平板ガラス３１０を装着した状態を示す断面図であり、ガラスホルダー３０９は付属品取り付けのメネジ３０９ａを有し、平板ガラス３１０は上記メネジ３０９ａに螺合するオネジ部３２１ａをその外周に有したフィルター枠３２１に取り付けられている。
【００６０】
ここで、平板ガラス３１０はＮＤフィルター、色温度変換フィルター、ソフト画像を得る様な効果を持ったフィルター、ローパスフィルターなど各種の機能を持たせることも考えられ、このネジ部３０９ａ、３２１ａによって平板ガラス３１０としてのフィルターの交換が可能であり、場合に応じて使い分けることができる。
【実施例５】
【００６１】
図６は平板ガラス３１０の代りに用いる可変濃度ＮＤフィルター３５０の一例を示すもので、図６において、３２２と３２６はガラス板、３２３と３２５は透明電極。３２４は発色層であり、各層が順次積層されている。この構成において、透明電極３２３と３２５との間に電圧３２７を印加すると、発色層３２４の発色が変化する可変濃度のＮＤフィルター３５０を構成する。
【００６２】
なお、このＮＤフィルター３３０の取り付けは前記実施の形態１または２のいずれによっても構わない。
【００６３】
以上のように各実施例によれば、前述した効果に加えて透明板を取り外し可能に構成したもので、ＮＤフィルターや色温度可変フィルター等と付け替えることが可能であるという効果がある。
【００６４】
この他各実施例によれば、透明板として可変濃度のＮＤフィルターを配置する構成としたので、透過光量を調節することができる効果がある。
【００６５】
この他各実施例によれば、最後尾のレンズ群がガイドポールにより光軸方向に可動可能に構成したので、レンズ群の移動が円滑に行われる効果がある。
【００６６】
この他各実施例によれば、凸凹凸凸の４群レンズで構成したので、ビデオレンズに対して実施できる効果がある。
【００６７】
この他各実施例によれば、マウント最後尾の位置が透明板などの光学素子よりカメラ側まで突出して構成したので、カメラ側より取り外したレンズ鏡筒をマウントを下にして立てても、光学素子には何ら不都合な加重が加わらない効果がある。
【００６８】
この他各実施例によれば、ビデオカメラに対して実施できる効果がある。又上記のレンズ鏡筒を用いて構成したので、常に安定した撮影を行うことができる効果がある。
【図面の簡単な説明】
【００６９】
【図１】発明の実施例１によるレンズ鏡筒をカメラ側に装着した状態を示す縦断面図
【図２】カメラ側に装着前のレンズ鏡筒の断面図
【図３】本発明の実施例２によるレンズ鏡筒をカメラ側に装着した状態を示す縦断面図
【図４】本発明の実施例３による交換可能なレンズシステムを示すブロック図
【図５】本発明の実施例４によるレンズ鏡筒に平板ガラスを装着した縦断面図
【図６】本発明の実施例５による可変ＮＤ素子の構造図
【図７】従来のレンズ鏡筒を示す縦断面図
【図８】レンズ鏡筒におけるバリエーターレンズとフォーカスレンズの位置関係を被写体距離に応じて示した図
【図９】図８の位置関係の軌跡トレース方法を実施するブロック構成図
【図１０】図８を小領域に分割した図
【図１１】図１０の小領域の１つの拡大図
【図１２】ズームテレ端近傍の軌跡図
【符号の説明】
【００７０】
３１０  平板ガラス（透明板）
３１１〜３１４  可動レンズ群（最後部のレンズ群）
３３０  凸部（マウント部品の最後尾）
４００  ポール部品（ポール）
【図１】
2005070800.tif 000003
【図２】
2005070800.tif 000004
【図３】
2005070800.tif 000005
【図４】
2005070800.tif 000006
【図５】
2005070800.tif 000007
【図６】
2005070800.tif 000008
【図７】
2005070800.tif 000009
【図８】
2005070800.tif 000010
【図９】
2005070800.tif 000011
【図１０】
2005070800.tif 000012
【図１１】
2005070800.tif 000013
【図１２】
2005070800.tif 000014